Podtech/llm-jp-corpus-v4-ja_patent huggingface dataset:
(57)【要約】【課題】  最近の建設事務所は賃貸マンションを利用するケースが多くなり、コンクリート製の壁面の為、よく使用されている壁面取取付保管具が使用出来なくなった。本発明は上記の課題を解決する目的で、一人用保護帽安全帯収納置台を提供する。【解決手段】  円筒型の上部板に穴が開けてあり、そこに保護帽の内側を上に向けて置く。保護帽内側の上に仕切板を乗せ、その上に高所転落防止安全帯を軽く丸めて保管する。円筒型収納側具側面下部には開口部があり、小物等が出し入れ出来る。【選択図】図２
2011098771.tif 000002
【特許請求の範囲】
【請求項１】
円筒型の上部板に穴があり、側面には開口部が設けられ、下部面には底板があり、保護帽の上に仕切板を乗せた、一人用保護帽安全帯収納置台。
【発明の詳細な説明】
【技術分野】
【０００１】  本発明は保護帽及び高所転落防止安全帯の収納具に関するものである。
【背景技術】
【０００２】  従来建設現場等で使用する保護帽や高所転落防止安全帯の保管方法は壁面を利用した収納具が主流である。
【先行技術文献】
【０００３】
【特許文献】
【特許文献】実用新案公開平７−２５８８４
【発明の概要】
【発明が解決しようとする課題】
【０００４】  以前は建設事務所をプレハブで建てる事が多かったが、最近は敷地が狭かったり、経費削減のため、賃貸マンションやアパートを利用するケースが多くなってきた。
しかし壁がコンクリート製のため壁面利用の保護帽保管具が使用出来なくなっている。
本発明は、以上の問題を解決する為になされたものである。
【課題を解決する為の手段】
【０００５】  円筒型を成し、上部面には円形の穴があり、下部面は底板がある、保護帽外縁より大きなサイズの深皿型の仕切板を設け、前面側には開放部が設けられた、一人用保護帽安全帯収納置台。
【発明の効果】
【０００６】  従来は壁面に人数分の保管具を取付けていたが、壁面の材質等により取付け出来ないケースが多くなって来たのと、経費削減のため、事務所そのものも狭くなってきた。
一ヶ所に保管する事でなく、個々が自分の物を管理する考え方で、机の上や机の下等の空間を利用した、平面置台保管具として解決する。
【図面の簡単な説明】
【０００７】
【図１】本発明の斜視図
【図２】本発明の使用状態の斜視図
【発明を実施する為の形態】
【０００８】  以下、本発明の形態を説明する。
（イ）円筒型（１）で上部面（２）には丸型の穴（３）が開けてある上板（４）があり、下部面（５）は底板（６）がある。
（ロ）丸型の穴（３）に保護帽（７）の内側を上向きに置き、その上に仕切板（８）を置く。
（ハ）円筒型の前側面（９）に開口部（１０）が設けられている。
本発明は以上の構造である。
本発明を使用するときは、平坦な所へ置き、保護帽（７）の内側を上に向けて保護帽最大外形寸法より小さ目な丸型の穴（３）に乗せ収納する。
保護帽外縁（１１）より少し大き目サイズの仕切板（８）を乗せ、その上に高所転落防止安全帯（１２）を軽く丸めて乗せる。
仕切板（８）は深皿型に窪んでいて、保護帽内製品と直接高所転落防止安全帯（１２）とが接触しないよう施す。
当該保管具の前側面（９）にある開口部（１０）から小物が出し入れ出来るようスペースが設けられている。
【符号の説明】
【０００９】  （１）円筒型  （２）上部面  （３）丸型の穴  （４）上板  （５）下部面
（６）底板  （７）保護帽  （８）仕切板  （９）前側面  （１０）開口部
（１１）保護帽外縁  （１２）高所転落防止安全帯
【図１】
2011098771.tif 000003
【図２】
2011098771.tif 000004
(57)【要約】【課題】夜間において、自動車の運転中に、交通標識（光反射標識）をより鮮明に認識できるようにする。【解決手段】  光指向性を持つＬＥＤ複数個からなるＬＥＤユニット２の前部に、光指向性をより高めるため、また光がフロントグラス５に反射し眼に入らないようにするための遮光器３を取り付けたものを、任意に角度調整を可能にする関節部４を介して、ルームミラー本体１に設置する。ＬＥＤユニットへの電力の供給源は車載電源とする。なお、スイッチの設置位置は問わない。【選択図】図１
2011098708.tif 000002
【特許請求の範囲】
【請求項１】
交通標識（光反射標識）をより鮮明に認識するために、交通標識（光反射標識）照射用のＬＥＤ前照灯を鏡面裏側に設置したルームミラー
【発明の詳細な説明】
【技術分野】
【０００１】  この発明は、夜間において、自動車の運転中、交通標識（光反射標識）を鮮明に認識できるようにし、安全運転に寄与する技術に関する。
【背景技術】
【０００２】  従来より、夜間の安全運転のため、自動車のヘッドライトの光を反射する標識は存在し、また、自己発光方式の標識も存在した。
【発明が解決しようとする課題】
【０００３】  光反射標識は、光を光源方向に反射する性質を有し、運転者の眼が光源と標識を結ぶ直線より角度が浅いほど鮮明に認識が可能である。従来、光反射標識へ照射する光の光源は自動車のヘッドライトであり、これは、光源と標識、標識と運転者の眼、それぞれを結ぶ直線の間に角度を生じ、反射効率（眼に入る光量）は高いものではなかった。
【課題を解決するための手段】
【０００４】  上記課題を解決するため、本発明は光源を運転者の眼の近くの位置にあるルームミラーに付属させることとした。
【発明の効果】
【０００５】  本発明の光源はルームミラーの鏡面の裏側に設置することから、ルームミラー本来の目的を何ら阻害するものではない。また、通常、標識の視認方向は運転席から見て前方左上方であり、これは標識と運転者の眼を結ぶ直線上のごく近くに光源が存在することを意味し、反射効率はヘッドライトを光源とする場合よりも高く、したがって本発明の光源の光度はより低くて済むこととなり、対向車の運転者への影響も少なく、かつ鮮明に認識できる。また、照射方向の点からも、前方左上方ということで、対向車の運転者への影響は少ない。
【発明を実施するための形態】
【０００６】  以下、本発明のＬＥＤ前照灯付きルームミラーの実施の一形態について、図面を参照して説明する。
【０００７】  光指向性を持つＬＥＤ複数個からなるＬＥＤユニット２の前部に、光指向性をより高めるため、また光がフロントグラス５に反射し眼に入らないようにするための遮光器３を取り付けたものを、任意に角度調整を可能にする関節部４を介して、ルームミラー本体１に設置する。ＬＥＤユニット２への電力の供給源は車載電源とし、スイッチの設置位置は問わない。なお、ＬＥＤユニット２は発光量の調節ができることが望ましい。
【図面の簡単な説明】
【０００８】
【図１】本発明の交通標識照射用ＬＥＤ前照灯付きルームミラーの実施例を示す斜視図である。
【図２】本発明の交通標識照射用ＬＥＤ前照灯付きルームミラーを中心とした、自動車への設置状態を示す断面図である。
【符号の説明】１……ルームミラー本体
２……ＬＥＤユニット
３……遮光器
４……関節部
５……フロントグラス
【図１】
2011098708.tif 000003
【図２】
2011098708.tif 000004
(57)【要約】【課題】      竹チップを活用した入浴剤の開発を課題とする。【解決手段】  竹チップを網目状の袋に詰め封じ、それを真空状態で密封したものを、常温保存又は冷蔵保存した状態で自然発酵させたものを入浴剤とする。【特許請求の範囲】
【請求項１】
植物分類上竹類（竹・笹・バンブー）を粉砕又は破砕及びチップ状に加工したものを使用しての入浴剤。
【請求項２】
請求項１記載の原料を自然醗酵若しくは真空状態で醗酵させた入浴剤。
【発明の詳細な説明】
【技術分野】
【０００１】本発明は、竹チップを活用した入浴剤に関する。【０００２】
【発明の概要】
【発明が解決しようとする課題】
【０００３】竹チップを活用した入浴剤の開発を課題とする。
【課題を解決するための手段】
【０００４】竹を粉砕、破砕又はチップ状に加工する。
それを真空状態で常温又は冷蔵保存し、自然発酵させる。
【発明の効果】
【０００５】当発明は、自然に生育する竹を使用した無添加の入浴剤で、内容物は１００％天然素材である。
【発明を実施するための形態】
【０００６】竹類（竹の種類は問わない）を伐採し、その日の内にチップ状に加工します。
チップ状の竹を、網目状の袋に１００グラム程度入れて封じた物を作成します。
さらにそれを真空状態で密封し、外気温による常温保存又は冷蔵保存をしながら、自然発酵させた物を入浴剤とします。
(57)【要約】【課題】台所の三角コーナーに代わる器具が色々提案されているが、専用の水切り袋が必要だったり、見た目や、防虫、防臭に難点があった。市販されている一般の水切り袋が使用でき、生ゴミが外側から見えないようにし、かつ  水切り袋の装着が簡単で、掃除の楽な器具を発明。【解決手段】上部が鍔状１の底の無いケースで水切り袋をカバーし生ゴミが外から見えないようにするとともに、吸盤４でシンクに装着した金属の輪２とケースの鍔１が袋の口を上下からしっかりはさみこんで、落下を防止する。ケースは底が無いので汚れが少なく掃除が楽。夜間などは防虫、防臭のためふた５をすれば、ゴミが少ない場合は処分する必要が無い。【選択図】図１
2011098833.tif 000002
【特許請求の範囲】
【請求項１】
水切り袋の落下防止のため上部を鍔状の形にし、シンクに取り付けた金属の輪で下から挟み込んで装着する三角コーナー。
【発明の詳細な説明】
【技術分野】
【０００１】  本発明は台所の生ゴミ入れに関するものである。
【背景技術】
【０００２】  台所の生ゴミ処理には汚れやすく手入れの面倒な三角コーナーから主婦などを解放するため色々な器具の提案がなされてきた。水切り袋だけを吊り下げるものや特殊加工の袋自体を自立させるものなどである。
【発明の概要】
【発明が解決しようとする課題】
【０００３】  しかしながら袋からは中の生ゴミが丸見えであり防臭、防虫の面で問題がある。かつ専用の袋が必要なためコストが割高である。
【課題を解決するための手段】
【０００４】  上記の課題を解決するため、図１のように生ゴミが外から見えず、ケース本体も汚れにくい底のない形状にし、落下防止のためケース本体の上部を鍔状１にして、シンクに取り付けた金属の輪２で袋の口を上下から挟み込めるようにした。夜間や使用しない時はふたをかぶせる。
【発明の効果】
【０００５】  水切り袋の口は図２のようにケース本体の鍔１と金属の輪２で挟み込まれ、生ゴミの重さで締め付けが強くなり、ずり落ちにくくなる。【０００６】  ケース本体は汚れやすい底が無いだけでなく、生ゴミはぶら下がった状態なので、ケースの内側も汚れにくい。【０００７】  水切り袋の口は特別な器具で止めていないので、装着が簡単であり、専用の袋は必要ないのでコストが抑えられる。
【発明を実施するための形態】
【０００８】  本発明を図１の実施例について説明する。
上部が鍔状１になった本体に水切り袋３を本体の下部から出ないように装着する。シンクに吸盤４で取り付けられた金属の輪２の中に袋の口が輪より下になるようにして、はめ込む。
【０００９】  夜間など使用しない時はふた５をする。
【図面の簡単な説明】
【００１０】
【図１】  水切り袋を装着した斜視図
【図２】  横から見た図
【符号の説明】
【００１１】  １  鍔のついた本体
２  金属の輪
３  水切り袋
４  吸盤
５  ふた
【図１】
2011098833.tif 000003
【図２】
2011098833.tif 000004
(57)【要約】【課題】  本発明の目的はアレルギーを増悪化させる好酸球の活性化を抑制しアレルギー症状を緩和する製剤を得ることにある。【解決手段】  花粉荷を有効成分とする好酸球活性化抑制剤は上記の課題を解決する方法として非常に有効であり、花粉症をはじめ種々のアレルギーの疾患に好酸球活性化抑制剤をして用いることができる。【選択図】  なし【特許請求の範囲】
【請求項１】
花粉荷を有効成分とする好酸球活性化抑制剤
【請求項２】
花粉荷がハンニチバナ科ゴジアオイ属の植物の花粉を主成分とする花粉荷である請求項１の好酸球活性化抑制剤
【請求項３】
花粉荷を有効成分とする好酸球活性化抑制用食品
【発明の詳細な説明】
【技術分野】
【０００１】
本発明は、花粉を主成分とする花粉荷を配合したる好酸球活性化抑制剤に関する。
【背景技術】
【０００２】
近年、杉や檜等の花粉アレルギーによる、アレルギー性結膜炎やアレルギー性鼻炎（鼻水、鼻づまり、くしゃみ）のいわゆる花粉症の症状を訴える患者が急増する傾向にある。花粉アレルギーは外来性因子、即ち花粉の侵入によってマスト細胞や好塩基球からヒスタミンやロイコトリエン等の化学伝達物質や種々の酵素が遊離し、特に鼻や目にその症状が現れる。
花粉症の治療対策としては、眼鏡やマスクなどの着用により物理的にスギ花粉等との接触を防止に拠る予防や、抗アレルギー薬による予防的治療、抗ヒスタミン剤やステロイド製剤による対症療法、減感作療法などが行われている。
【０００３】
しかしながら、杉や檜等の花粉を回避するために、外出時に花粉症対応のマスクや眼鏡などを着用する方法は、ある種の苦痛と不便さが伴う。更に、花粉の飛散・浮遊は屋外だけではなく、屋内にも侵入している。換気や、毛髪や衣服あるいは洗濯物などへの付着により、屋内への杉や檜等の花粉の持ち込みが起こっているからである。従って、杉や檜等の花粉が飛散する時期には屋内外において花粉に接触する可能性が高く、物理的に花粉との接触を阻止するためには、厳密には外出時だけではなく、屋内外を問わず一日中マスクと眼鏡の着用が必要となるが日常生活を営む上においては、現実的には杉や檜等の花粉との接触を完全に防ぐことはできない。
アレルギーの発生の作用機序が長年研究されてきて、その中で、白血球の一種である好酸球がアレルギー反応に関与していることがわかってきた。
この好酸球は血液中に存在し、その細胞内に塩基性の強い細胞障害性蛋白質を含む顆粒を有する。そして、この好酸球はアレルギー反応又は炎症反応が生ずるとその部位へ血液中から遊走、浸潤した後、刺激によって前記顆粒を放出し、アレルギー反応等を進行、悪化させると考えられている。これら好酸球の活性化がアレルギーを増悪化していることがわかっている。
【発明の開示】
【発明が解決しようとする課題】
【０００４】
本発明の目的はアレルギーを増悪化させる好酸球の活性化を抑制しアレルギー症状を緩和する製剤を得ることにある。
【課題を解決するための手段】
【０００５】
本発明者らは、鋭意検討した結果、花粉荷に好酸球の活性化を抑制する作用を見出し、アレルギー症状を緩和する製剤を得られることを究明した。
花粉荷は蜜蜂が集めた花粉であり、花粉のほかにも花蜜、唾液等を含み、成分は多種多様である。好酸球活性化抑制に有効な成分がなにかは同定されておらず、また、有効な成分が単独の成分か複合の成分かも同定されていない。
これをそのまま、或いは他の原料と混合し、製剤も顆粒、錠剤、カプセル、ペースト等任意の形を選択できる。
また、これらを食品に中に配合してもよい。
【０００６】
今回発明者らは、スペインのエストレマドゥーラ州地方産の花粉荷を用いて実験した。集めた花粉の多くはシスタスすなわち、ハンニチバナ科ゴジアオイ属の植物である。
この花粉荷の分析結果を表１〜表４に記載する。これらの試験は食品分析の一般的な方法で行った。
【０００７】
【表１】
2011098889.tif 000002
【０００８】
【表２】
2011098889.tif 000003
【０００９】
【表３】
2011098889.tif 000004
【００１０】
【表４】
2011098889.tif 000005
【００１１】
上述した花粉荷をはじめ各種原料を表５の配合量でカプセル（プルラン製１号）に充填して有効性評価試験を行った。なお、プラセボは表５の花粉荷に替えてデキストリンを用いた。
【００１２】
【表５】
2011098889.tif 000006
【００１３】
花粉症の人１２名をランダムに２群に分け一群には花粉荷を充填したカプセル、もう一群にはプラセボのカプセルを１日４カプセルづつ服用してもらった。
試験品の摂取前に採血を行い、血中の好酸球数を測定した。
試験品の摂取中、摂取後も同様に採血を行い、好酸球数を測定した。花粉飛散量については、三重大学医学部耳鼻咽喉科主催のホームページ、三重花粉情報（URL: http://www.medic.mie-u.ac.jp/kafun/）を用いて伊勢市近郊の花粉飛散量を引用した。また、試験終了時にアンケートによる調査を行い、昨年と比較して症状の改善の有無を確認した。
（なお、試験は平成２１年１月より５月まで行った。）
結果を表６と表７に示す。
【００１４】
【表６】
2011098889.tif 000007
【００１５】
【表７】
2011098889.tif 000008
【００１６】
なお、平成２１年は昨年より伊勢市近郊では花粉飛散量は多く、プラセボ群では、昨年より症状がひどい人が４名いたが、花粉荷群では逆に昨年より症状が楽だったという人が４名で花粉症に対する有効性が高いことがわかった。このことは表５に示すように花粉荷が好酸球活性化を抑制することがわかる。
花粉荷が好酸球活性化抑制剤あるいは好酸球活性化抑制用食品として利用できることがわかった。
(57)【要約】      （修正有）【課題】革製で三層以上の多層構造を有する積層タップにおいて、打球部分の接着面を改善し、打球の方向ズレを減少させる。【解決手段】革の積層による土台部分は薄手の革２層以上の多層構造を持つビリヤードキューに取り付けて使用するタップである。玉を打つ部分は丸くR付けをして使うが打球部分には接着面が現れないように厚手の革を使用。打球部分に厚手の牛革などを配置し丸く打球部分を仕上げても革同士の接着部分は露出しない。したがって玉の捕らえは一枚革の良い所が再現されて、更に薄手の革の積層からなる土台部分は手玉の進行方向のズレを最小限に抑える効果を併せ持つ構造を特徴とする。【選択図】図１
2011098057.tif 000002
【特許請求の範囲】
【請求項１】
革製３層以上の多層構造を持つ積層キューチップであるが、打球部分には積層部分の
接着面が現れない構造を特徴とする。
【発明の詳細な説明】
【技術分野】
【０００１】
本発明は、ビリヤード用キューチップに関するものである。日本の業界では
タップとも言う。
【背景技術】
【０００２】
ビリヤードキューチップは玉に直接当たる部分でプレーヤーの意思を伝える大切な役割
を持つ小さな皮製のパーツである。元来、厚手の一枚牛革を使い製造されてきた。
しかし近年厚手の牛革の入手が困難になり20年ほど前から豚革を積層して厚みのある革
としタップとして使用することを日本人が考案した、最近では世界各地で豚革や薄手の
牛革を多数枚積層して接着し厚みのある革としてタップに使用することが一般的となり
各社様々な種類を販売している。
【０００３】
しかし、玉に直接触れる打球部分は丸くRを付け使用するため接着部分が露出する、
接着部分と革部分と接着剤が打球する際悪影響を及ぼす事がプレーヤーを悩ませていた。
特に高点者など玉の横を突いたり、下を突いて玉をバックスピンで戻したりして得点する
際などその影響を嫌うプレーヤーが多い。最近はビリヤードキューも様々な改良をされて、
特に製造する際たくさんの木を張り合わせてから丸く仕上げ打球する際の均一感を目指す
技術が相当盛んである、玉を打球する際、そのような仕様のキューは玉の横を突いて
スピンを与え自分の狙うポジションにコントロールしようとするとき玉の進行方向に対
して手玉のズレが最小限に留まる様に設計されている。
【０００４】
積層されたタップはこの手玉の進行方向のズレに対しても有効に作用して木を積層で
作成されたキューに相性が良い事は知られている。
【先行技術文献】
【非特許文献】
【０００５】
【非特許文献１】ロバート・バーン著  「ビリヤード  スタンダードブック」株式会社BABジャパン出版局
【発明の概要】
【発明が解決しようとする課題】
【０００６】
革製三層以上の多層構造を持つ積層タップの打球部分の接着面を改善する。
打球の際の手玉の進行方向のズレを減少させる。
【課題を解決するための手段】
【０００７】
本発明は、積層による土台部分は薄手の革２層以上の多層構造を持つが、R付けして
使う打球部分には接着面が現れないように厚手の革を配置する。
【発明の効果】
【０００８】
本発明のタップは、玉の捕らえは一枚革の良い所が再現されて、更に薄手の積層からなる
土台部分は手玉の進行方向のズレを最小限に抑える効果を併せ持つ構造となっている。
【図面の簡単な説明】
【０００９】
【図１】本発明の形態の平面図
【図２】ビリヤードキューに取り付けた実施形態の平面図
【図１】
2011098057.tif 000003
【図２】
2011098057.tif 000004
(57)【要約】      （修正有）【課題】１つには剥がれにくく、２つ目には爪が伸びていなくても使用でき、３つ目には持続的に爪を矯正する力を加えることができ、４つ目には操作が簡単な、巻き爪、陥入爪の非手術的な治療に使う器具を提供する。【解決手段】一端にフックを有した２枚の弾性金属プレートを互いに嵌合させ爪に装着させ、２枚の金属プレートの反発力で爪に持続的に力を加えることにより、力点、支点、作用点が爪の全幅となり、爪の湾曲の矯正を図る。【選択図】図８
2011098081.tif 000002
【特許請求の範囲】
【請求項１】
弾性金属プレート１であって、一端にフック３を有しており、他端は直線状であり、該弾性金属プレートを２枚、反対向きに沿わせて、相互に嵌合させることにより、爪の湾曲の矯正することを特徴とする爪装具。
【請求項２】
前記弾性プレートの直線部にクロスバーを接合させたことを特徴とする請求項１記載の爪装具。
【発明の詳細な説明】
【技術分野】
【０００１】
本発明は、爪の変形矯正に関するものである。
【背景技術】
【０００２】
従来、巻き爪や陥入爪の非手術的な治療としては大きく以下の３つの方法がある。以下にそれぞれの方法と欠点についてのべる。１つ目には金属またはプラスチック等弾力板を爪に接着剤で貼り付ける方法。これは弾力板が爪から剥がれ易い欠点がある。２つ目には弾性ワイヤーを爪に通す方法。本法は爪が指の先端より伸びていないと使用ができない欠点がある。３つ目には爪の両端に引っ掛けた金属ワイヤーを寄せて中央で固定する方法。この方法は、装着時に牽引を加えるだけで、装着後に矯正力が持続しない。また手技が複雑で、実技講習会が必要で、費用がかかるという欠点がある。尚、巻き爪の治療には爪が伸びる期間、おおむね１〜２ヶ月間の持続的な矯正力を保持する事が望まれる。
【先行技術文献】
【特許文献】
【０００３】
【特許文献１】特開２００１−２７６１０４
【発明の概要】
【発明が解決しようとする課題】
【０００４】
特許文献１には針金で爪を牽引し爪の湾曲を矯正しようとする提案がなされている。
しかしながら上記特許文献の発明では、矯正具の装着時には爪の矯正力は働くが、それ以降持続して矯正力が働くものではない。また、装着時の操作が煩雑で実地講習が必要で、そのための経費がかかるという欠点を有している。本発明は持続的に矯正力が爪にかかり、その矯正力も金属プレートの厚さを変えることにより、強、中、弱と適宜選択できる。また装着が簡単で実地講習を必要とせず経費も安く提供できる。
【課題を解決するための手段】
【０００５】
本発明は、一端にフックを有した金属プレート２枚を相互に嵌合させ、２枚の金属プレートの反発力で爪の湾曲の矯正を図るものである。本法では２本のプレートの反発力が相互に合わさり、力点、支点、作用点が爪の全幅となる。フック固定であるため接着剤固定のように接着面で剥がれることがない。フック固定の場合フックが緩んで外れ易いがこれを防止するために、糸を両プレートとクロスバーにかけ、本装具が中央に寄るように張力をかける方式をとった。またこの糸は２本のプレートが離れないように密着させる作用も同時に有している。
【発明の効果】
【０００６】
本発明は次の効果をもたらした。１つには矯正装具が剥がれるという従来の欠点を解消した。２つ目には弾性ワイヤーと違い爪が伸びていなくても使用できる。３つ目には爪の矯正力が継続的に保たれることとなった。４つ目には金属プレートの厚さを変えることにより強、中、弱の適当な矯正力が選択できる。５つ目には手技が簡単で講習会を必要としない、そのため安価に提供できる。
【図面の簡単な説明】
【０００７】
【図１】本装具の正面図とその一部の拡大図である。
【図２】本装具の側面図とその一部の拡大図である。
【図３】本装具の前面図とその一部の拡大図である。
【図４】本装具の見取り図とその一部の拡大図である。
【図５】本装具の爪への装着時の正面図とその一部の拡大図である。
【図６】本装具の爪への装着時の側面図とその一部の拡大図である。
【図７】本装具の爪への装着時の前面図とその一部の拡大図である。
【図８】図８は本装具の爪への装着を示した図面代用写真である。
【発明を実施するための形態】
【０００８】
本装具は図１〜図４に示す如く、一端に爪を引っ掛けるに適切な大きさのフックを有した金属プレートである。この金属プレートは弾性を有し、爪に沿わせた場合、常に戻ろうとする力が持続的に働く性質をもった金属でできている。その全長は３０mmを基本とするが、必要により１０mm程度の延伸、短縮は許容される。本装具金属プレートの途中にクロスバーが接合されている。クロスバーは全長が２ｍｍ程で、プレートと同種の金属よりなる針金で、直径は０．４ｍｍを基本とするが２０％程度の増減はあってもよい。クロスバーの一端は直線で終わり、その反対側は９０度に屈曲した構造を有する。この９０度の屈曲は限定されるものではなく、±５度程度の変更は許容される。クロスバーはフックの先端より４mmの位置にプレートに直角に溶接され、クロスバー屈曲方向はフックの曲がる方向と同方向である。このとりつけ位置も限定されるものではなく±１mm程度の変更は効果に大差ない。装着実施に当っては、図５、図６の如く、本装具のフック３を爪Aの辺縁に引っ掛け、もう一本の本装具を同様に反対側の爪の辺縁に引っ掛ける。対称的に爪に掛けた２本の本装具のプレート１を、あい対する本装具のクロスバー３の下にはめ込んだ後、あらかじめ通しておいた糸４でクロスバーの部分で両プレートを左右２ヶ所で緊縛し、その左右の糸同士を爪の中央でさらに緊縛する。こうすることで、フックが爪から剥がれることなく固定できる。弾性をもった金属プレートの反発力で持続的に爪に矯正力を加えることができる。
【符号の説明】
【０００９】
１、本装具のプレート部分である。
２、本装具のクロスバーである。
３、本装具のフック部分である。
４、固定、牽引用の糸である。
A、人体の爪である。
B、人体の指の皮膚である。
【図１】
2011098081.tif 000003
【図２】
2011098081.tif 000004
【図３】
2011098081.tif 000005
【図４】
2011098081.tif 000006
【図５】
2011098081.tif 000007
【図６】
2011098081.tif 000008
【図７】
2011098081.tif 000009
【図８】
2011098081.tif 000010
(57)【要約】 【課題】    厚生労働省の定める医療機器分類中の一類型である家庭用貼付型接触粒は、皮膚のツボに貼付してツボを刺激することにより健康増進効果をもたらすものであるが、従来のものはほとんど金属製であり、皮膚との接触で金属アレルギーが起こる場合があり、誰でも安心して使用出来るとは言えなかった。【解決手段】      健康増進効果を有する混合セラミック粒子を練り込んだショアＡ硬度５０以上の硬質シリコーン樹脂よりなり、円板状をなした基部の一方の面の中央に円錐状をなしたツボ刺激用の突起を一体的に形成した。【選択図】 図２
2011098132.tif 000002
【特許請求の範囲】
【請求項１】
健康増進効果を有する混合セラミック粒子を練り込んだショアＡ硬度５０以上の硬質シリコーン樹脂よりなり、円板状をなした基部の一方の面の中央に円錐状をなしたツボ刺激用の突起が一体的に形成されたことを特徴とする家庭用貼付型接触粒。
【発明の詳細な説明】
【技術分野】
【０００１】
この発明は健康増進具、詳しくは、皮膚に貼り付けることにより、ツボを刺激し、健康の継続増進を図る家庭用貼付型接触粒に関するものである。
【背景技術】
【０００２】
人体に点在するツボを刺激することが健康の維持増進に効果のあることは、古くから知られており、このツボを刺激する為の家庭用貼付型接触粒は、従来から多く提案されている。
【先行技術文献】
【特許文献】
【０００３】
【特許文献１】なし
【非特許文献】
【０００４】
【非特許文献１】なし
【発明の開示】
【発明が解決しようとする課題】
【０００５】
家庭用貼付型接触粒は、文字通り、粒状をなし、ツボを刺激する為、絆創膏等の貼付手段を用いて皮膚に貼り付けて使用に供するものであり、金属を素材とするものがほとんどである。なお、家庭用貼付型接触粒とは、厚生労働省の定める医療機器分類中の一類型である。しかしながら、金属を素材とした場合、人によっては、金属アレルギーによりかぶれが生じるおそれがあり、だれでも安心して使用出来るという訳ではなかった。又、金属を素材とした場合、健康増進効果を有するセラミックをその中に添加することがむずかしく、これらセラミックによる相乗効果を期待することは困難であった。
【０００６】
本願発明は、家庭用貼付型接触粒に関する上記問題点を解決すべく研究を行った結果、金属アレルギーによるかぶれを心配することなく、だれでも安心して使用することが出来ると共に、健康増進効果を有する混合セラミックとの相乗効果を期待することが可能な新しい家庭用貼付型接触粒を開発することに成功し、本発明として、ここに提案するものである。
【課題を解決するための手段】
【０００７】
健康増進効果を有する混合セラミック粒子を練り込んだショアＡ硬度、５０以上の硬質シリコーン樹脂により、円板状をなした基部の一方の面の中央に、円錐状をなしたツボ刺激用の突起を一体的に形成することにより、上記課題を解決した。
【発明の効果】
【０００８】
基部に形成された突起を皮膚のツボに接触させ、これを押圧する様に、絆創膏などの貼付手段を用いて皮膚に固定して使用に供するものであり、突起は適度な硬さを有しているので、皮膚のツボを刺激し、健康増進効果がもたらされる。この際、素材であるシリコーン樹脂は人体に無害であるので、皮膚に接触しても金属粒の場合とは異なり、アレルギー反応を起こすことがなく、安心して使用に供することが出来る。又、素材であるシリコーン樹脂中には、プラウシオン（商品名）などの健康増進効果を有する混合セラミック粒子が練り込まれているので、この混合セラミック粒子からは遠赤外線などが放射され、これによる相乗効果によって、より一層健康増進効果が高められる。
【図面の簡単な説明】
【０００９】
【図１】この発明に係る家庭用貼付型接触粒の実施例１の拡大斜視図。
【図２】同じく、皮膚に実際に貼付した状態の拡大断面図。
【図３】実施例１に示す家庭用貼付型接触粒と貼付手段とを一体化させた実施例の拡大側面図。
【発明を実施するための最良の形態】
【００１０】
ショアＡ硬度５０以上の硬質シリコーン樹脂によってツボ刺激用の突起を有する家庭用貼付型接触粒を構成した点に最大の特徴が存する。
【実施例１】
【００１１】
図１はこの発明に係る家庭用貼付型接触粒の実施例１の拡大斜視図であり、この実施例１は、プラウシオン（商品名）等の健康増進効果を有する混合セラミック粒子をその中に練り込んだショアＡ硬度５０以上の硬質シリコーン樹脂を素材とし、円盤状をなした基部１の一方の面の中央に円錐状をなしたツボ刺激用の突起２が一体的に形成されてなるものである。
【００１２】
なお、この実施例１において、基部１の直径は２３ｍｍ、突起２の直径は５．６ｍｍ、その高さは０．８ｍｍとなっているが、この寸法に限らないことはもちろんである。
【００１３】
この実施例１は上記の通りの構成を有するものであり、図２に示す様に、突起２が皮膚３のツボに接触し、これを押圧する様に、絆創膏７などの貼付手段を用いて皮膚３に固定して使用に供するものであり、突起２は適度な硬さを有しているので、皮膚３のツボを刺激し、健康増進効果がもたらされる。この際、素材であるシリコーン樹脂は人体に無害であるので、皮膚３に接触しても、金属粒の場合とは異なり、アレルギー反応を起こす事がなく、安心して使用に供することが出来る。
【００１４】
又、素材であるシリコーン樹脂中には、プラウシオン（商品名）などの健康増進効果を有する混合セラミック粒子が練り込まれているので、この混合セラミック粒子からは遠赤外線などが放射され、これによる相乗効果によって、より一層健康増進効果が高められる。
【００１５】
なお、この実施例１には、別途用意した絆創膏７などの貼付手段によって、皮膚３に固定する様にしたが、図３に示すものの様に、粘着層４が形成された軟質シリコーン樹脂製シート５の中央に透孔６を設け、この透孔６に、突起２が粘着層４側を向く様に、基部３の周縁を固定し、粘着層４を剥離紙８で被覆し、貼付用の軟質シリコーン樹脂製シート５と、実施例１に示した家庭用貼付型接触粒とを一体化させても良く、この様にした場合には、別途貼付用の絆創膏７などを用意する必要がなく、剥離紙８を剥がせば、そのまま皮膚３に貼り付けることが出来るので、一層便利である。
【産業上の利用可能性】
【００１６】
健康の維持増進の為、大いに利用価値がある。
【符号の説明】
【００１７】
１．基部
２．突起
３．皮膚
４．粘着層
５．軟質シリコーン樹脂製シート
６．透孔
７．絆創膏
８．剥離紙
【図１】
2011098132.tif 000003
【図２】
2011098132.tif 000004
【図３】
2011098132.tif 000005
(57)【要約】【課題】  従来の柄付ブラシは、ミゾなど細部の掃除には使いやすいが、柄の軸方向に対してブラシが９０度の角度をもっているため、縦に長い容器の底の部分を掃除しようとしてもブラシの全面がうまく底に当たらないという問題点があった。【解決手段】  ブラシ１付のヘッド２と柄６とで構成される柄付ブラシにおいて、ヘッド２に軸穴３を形成し、柄６の先端を挿入して回転自在に枢支するとともに、さらに軸穴３から放射状に複数のミゾ４ａ，４ｂ及び５ａ，５ｂ等を形成し、柄６の一部６ａ，６ｂを所定の溝４ａ，４ｂ（又は５ａ，５ｂ）に係止することにより、ブラシ１の角度を変えることを特長としている。また、柄６にリング９を取り付け、そのリング９を移動してヘッド２を柄６に固定できるようにした。【選択図】図１
2011098184.tif 000002
【特許請求の範囲】
【請求項１】
ブラシ付きのヘッドと柄とで構成される柄付ブラシにおいて、ヘッドに軸穴を形成し、柄の先端を挿入して回転自在に枢支すると共に、さらにヘッドの軸穴から放射状に複数の溝を形成し、柄の一部を所定の溝に係止することにより、ブラシの角度を変えることを特徴とする柄付ブラシ。
【請求項２】
柄にはリングを取付け、そのリングを移動してヘッドを柄に固定できるようにしたことを特徴とする請求項１に記載の柄付ブラシ。
【発明の詳細な説明】
【技術分野】
【０００１】  本発明は、キッチン等で利用される柄付ブラシに関する。
【背景技術】
【０００２】  従来、キッチン等で使われるブラシには色々のタイプのものがあるが、ミゾなどの細部の掃除にはブラシに柄の付いた柄付ブラシ（歯ブラシのような形状のもの）が使われている。また、実登第３０５７７９７号広報には柄に対してブラシの角度を変えられるものが提供されている。
【先行技術文献】
【０００３】
【特許文献１】  実登第３０５７７９７号広報
【発明の概要】
【発明が解決しようとする課題】
【０００４】  従来の柄付ブラシは、ミゾなど細部の掃除には使いやすいが、柄の軸方向に対してブラシが９０度の角度をもっているため、例えば縦に深い容器の底の部分を掃除しようとしても、ブラシの全面がうまく底に当たらないという問題点があった。【０００５】  本発明は、このような従来の柄付ブラシが持っていた問題点を解決するためになされたもので、容器等の清掃箇所に応じて柄に対するブラシの向きをかえて、容易に清掃できるようにしたブラシを提供することを目的とするものである。
【課題を解決するための手段】
【０００６】  本発明は上記の目的を達成するために、ブラシ付きのヘッドと柄とで構成される柄付ブラシにおいて、ヘッドに軸穴を形成し、柄の先端を挿入して回転自在に枢支するとともに、さらにヘッドの軸穴から放射状に複数の溝を形成し、柄の一部を所定の溝に係止することによりブラシの角度を変えることを特徴としたものである。【０００７】  また、第２の課題解決手段は、柄にリングを取り付け、そのリングを移動してヘッドを柄に固定できるようにしたものである。
【発明の効果】
【０００８】  上述したように本発明の柄付ブラシは、柄に対してブラシの角度を所定の角度に変えることにより、例えば底の深い容器の底を掃除するときにも、ブラシの全面を底に当てることができる。このように従来の柄付ブラシより、広い用途の柄付ブラシを提供することができる。【０００９】  また、柄に取付けたリングを使用して、ヘッドをしっかり柄に固定することにより、相当の力を加えても柄がヘッドの溝から外れることはないので、しっかり力を入れて掃除することができる。
【図面の簡単な説明】
【００１０】
【図１】  本発明の実施例を示す斜視図
【図２】  同柄の先端部を示す図
【図３】  同ブラシの角度を変えた時の斜視図
【図４】  他の実施例図
【図５】  他の実施例図
【発明を実施するための形態】
【００１１】  以下、本発明の実施の形態を図１〜図５を用いて説明する。図１において、ブラシ１を植設したヘッド２には、軸穴３として貫通穴を形成し、該軸穴３からは放射状に溝４ａ，４ｂ及び５ａ，５ｂを形成する。
【００１２】  また、柄６は針金を用いて図１及び図２のように成形する。この柄６には保持部６ａ，６ｂを成形すると共に、図２に示すように先端部７ａ，７ｂを直角に成形する。また、首部８ａは溶着してズレたり広がったりしないようにしておく。
【００１３】  このように成形した柄６にヘッド２を取り付けるには、図２に示すごとく先端部７ａ，７ｂを針金の弾力性を利用して手で少し広げて、ヘッド２の軸穴３に左右から嵌入すると共に、保持部６ａ，６ｂを溝４ａ，４ｂに係止する。このような方法で柄６にヘッド２を取り付けることができる。
【００１４】  上述した状態では、ブラシ１の角度は図１に示すように柄６の軸方向とは直角になっているが、ブラシ１の角度を図３に示すごとく柄６の軸方向に変えるには、ヘッド２の溝４ａ，４ｂに係止されていた保持部６ａ，６ｂを９０度回転させて溝５ａ，５ｂに係止すればよい。
【００１５】  このように先端部７ａ，７ｂを軸穴３に嵌入すると共に、保持部６ａ，６ｂを溝４ａ，４ｂ又は５ａ，５ｂに係止するだけで、柄６がヘッド２から外れることなく十分に使用できる。また、特別にしっかり力を入れて使いたい場合は、図１に示すようにリング９をヘッド２の根元に移動することにより、さらにしっかりヘッド２を柄６に固定することができる。
【００１６】  また、図４は他の実施例を示したもので、ヘッド２には溝１０を任意の角度で複数形成することができる。
【００１７】  また、図５も他の実施例を示したもので、柄６の首部８ｂを交差するように成形することもできる。
【００１８】  さらには、本発明の実施例では柄６を針金で成形しているが、樹脂で一体成型することもできる。
【符号の説明】
【００１９】１          ブラシ
２          ヘッド
３          軸穴
４ａ、４ｂ  溝
５ａ、５ｂ  溝
６          柄
６ａ，６ｂ  保持部
７ａ，７ｂ  先端部
８ａ        首部
８ｂ        首部
９          リング
１０        溝
【図１】
2011098184.tif 000003
【図２】
2011098184.tif 000004
【図３】
2011098184.tif 000005
【図４】
2011098184.tif 000006
【図５】
2011098184.tif 000007
(57)【要約】【課題】縦に洗濯バサミ等で干すしかなかった洗濯物を横に簡単に素早く干せるようにする。【解決手段】  板状の物１に穴、または切り込み２を設け、そこにひも等３を通し、輪ゴム等のストッパー４で固定し、フック５で物干等にひっかけ、板状の物の上に洗濯物を干す。【選択図】図１
2011098181.tif 000002
【特許請求の範囲】
【請求項１】
地面に対して縦方向にのびたひもを横方向に置いた板状の物に穴、または切り込みを設けてそこに通して棚状にした洗濯ハンガー。
【発明の詳細な説明】
【発明の詳細な説明】
【技術分野】
【０００１】本発明は横に置いた板等に穴、または切り込みを設けてそこに縦方向にのびたひも等を通して棚状にし、地面に対して横方向に洗濯物を置いて干せる様にしたものである。
【背景技術】
【０００２】従来、洗濯物を干す時は袖にハンガーを通したり、洗濯バサミで挟んで縦方向に干していた為、干すのに時間がかかり面倒であった。
【発明を実施するための形態】
【０００３】本発明は、縦に吊るして干すのではなく、地面に対して横方向に素早く、かつ簡単に洗濯物を干す事を可能にしたハンガーで、それを図面について説明すれば、板状の物１に穴、または切り込み２を開けて、そこのひも等３を通して、輪ゴム等のストッパー４で止めて棚状にして、物干し竿等に引っかけられる様にフック５を付けたものである。
【発明の効果】
【０００４】このようにすれば、洗濯物は一つ一つ洗濯バサミで挟んで干す必要もなく、板状の物の上に横方向にポンポンポンと置いて簡単に素早く干す事ができ、便利である。
【図面の簡単な説明】
【図１】使用状態を表す斜視図である
【符号の説明】１．板状の物
２．穴、または切り込み
３．ひも等
４．輪ゴム等のストッパー
５．フック
【図１】
2011098181.tif 000003
【手続補正書】
【提出日】平成22年2月12日(2010.2.12)
【手続補正１】
【補正対象書類名】明細書
【補正対象項目名】０００３
【補正方法】変更
【補正の内容】
【０００３】本発明は、縦に吊るして干すのではなく、地面に対して横方向に素早く、かつ簡単に洗濯物を干す事を可能にしたハンガーで、それを図面について説明すれば、板状の物１に穴、または切り込み２を開けて、そこにひも等３を通して、輪ゴム等のストッパー４で止めて棚状にして、物干し竿等に引っかけられる様にフック５を付けたものである。
(57)【要約】【課題】  階段改修工事をしなくても、階段の昇降時に加わる、膝や股関節等の負担を軽減し、安全に昇降できるように配慮した履物を提供する。【解決手段】  階段の一段の高さの、約２分の１に相当する小形の踏台（１）を用意し、原則として、悪い片方の足に着用させる。一方、安全確保のため、緩衝性と滑り止めを兼ねた素材（３）や、滑落防止（６）を備える。以上、階段昇降補助履物を特徴とする。【選択図】図１
2011098185.tif 000002
【特許請求の範囲】
【請求項１】
階段昇降のため、片足のみに履かせる履物で、
（イ）  小形の踏台（１）の、上に履物（２）を固定し＜必要に応じてゴムバンド等（６）＞・下に緩衝性と滑り止めを兼ねた素材（３）を備える。
（ロ）  踏台（１）へ、他の履物や素足でも対応できるよう・着脱可能（４、６）な配慮を施す。
（ハ）  踏台の代わりに、靴や下駄等・履物の底自体（５）を高く平面にする。
以上、昇降の安全を確保し、苦痛を和らげる階段昇降補助履物。
【発明の詳細な説明】
【技術分野】
【０００１】  平場の歩行に対し、階段の昇降には７〜８倍の負担がかかると言われている。本案は、膝や股関節等の悪いお方や、加齢と共に足腰の弱ったお方へ提供する物である。
【背景技術】
【０００２】  いろいろな効果を狙う履物が出揃う中、階段専用の機能を考えた履物は見当たらない。
【発明の開示】
【発明が解決しようとする課題】
【０００３】  大仕掛けな階段改修工事をしなくても、階段の高さを低くして昇降を容易にさせたい。そんな必要性から、階段の高さと履物の高さとの関わりを考えなければならない。
【課題を解決するための手段】
【０００４】  悪い足の方に、階段の一段の高さの約２分の１に相当する、履物を履かせることで、要望に応えることができる。小形の踏台（１）の上に履物（２）を固定したり、踏台に種々の履物や素足を簡便に着脱できるように配慮（４）したり、履物の底自体（５）を高くしたりしなければいけない。また、階段の高さ・高低に対応できるよう、最低、低中高・三段階の踏台を用意したい。一方、安全のための配慮（３）（６）も欠かせない。
この発明は、以上の構成よりなる階段昇降補助履物である。
【発明の効果】
【０００５】  この結果、階段への思いが苦痛な怪段から、適度な運動の場としての快段に変わる。両足の負担を７〜８割も軽減してくれる様に感じられ、プラス思考の日常生活が期待できる。
【発明を実施するための最良の形態】
【０００６】  本発明は、内履き用と外履き用に大別されるが、基本的には同じである。
階段の一段の高さの半分に相当する、軽くて丈夫な小形の踏台（１）を用意し、その上にスリッパ等の履物（２）を固定する。＜必要に応じてゴムバンド等（６）＞。踏台の底には緩衝性と滑り止めを兼ねた素材（３）を備える。本発明は以上のような構造である。
この履物を使用するときには、悪い片方の足のみに履かせるのが原則である。両足とも悪い場合には、時々交替して履く配慮が望ましい。さて、昇るときには、履いた悪い足が高い位置になっているので、良い方の足が自ずと一段目へ上がる。次に悪い方の足を一段目に上げる。両足が一段目に揃った状態で、良い方の足から二段目へ上がる。降りるときには、悪い方の足が自ずと先に下がる。以下、要領は昇るときと同じである。
【図面の簡単な説明】
【０００７】
【図１】  本発明（イ）の斜視図である。
【図２】  本発明（ロ）の斜視図である。
【図３】  本発明（ハ）の斜視図である。
【符号の説明】
【０００８】  １  小形の踏台          ２  履物
３  緩衝性と滑り止めを兼ねた素材
４  着脱に用いる媒体（マジック・テープ等）
５  履物の底自体
６  踏台の滑落予防（ゴム・バンド等）
【図１】
2011098185.tif 000003
【図２】
2011098185.tif 000004
【図３】
2011098185.tif 000005
(57)【要約】【課題】雨傘使用時に、傘の周囲から落ちる雨だれによる履物や衣服の不快な濡れを防ぐ雨だれ防止傘を提供する。【解決手段】雨水を特定の箇所より排出するために雨水排出孔を数カ所明けた樋を傘の周囲に設けたことを特徴とする雨だれ防止傘。【選択図】図１
2011098183.tif 000002
【特許請求の範囲】
【請求項１】
雨水を特定の箇所より排出するために雨水排出孔を数カ所明けた樋を傘の周囲に設けたことを特徴とする雨だれ防止傘。
【発明の詳細な説明】
【技術分野】
【０００１】  本発明は、傘の周囲からたれる雨だれを、周囲全体に張り巡らせた樋で受け止め数カ所に明けた雨水排出孔から落とす、雨だれ防止傘に関するものである。
【背景技術】
【０００２】  従来の傘は周囲、いたる所から雨だれが落ちるため、履物や衣服などが濡れることが多かった、がこれを防止するための用具、方法はこれまで無かった。
【発明の開示】
【発明が解決しようとする課題】
【０００３】  従来の傘は次ぎのような問題点がある。
傘の周囲いたる所から雨だれが落ちるため履物、衣服など不本意に濡らすことがある。
本発明は以上の問題点を解決しようとするものである。
【課題を解決するための手段】
【０００４】  上記問題点を解決するため本発明は、雨水を特定の箇所より排出するために雨水排出孔（４）を数カ所明けた樋（１）を傘の周囲に設けた。
そのためには傘に張られる布またはビニールの外側サイズを本来の寸法より数センチ大きくして、大きくした部分を雨があたる側に折り返し、折り返した部分と傘本来の布やビニールで、構成された三角形の空間をつくるため台座（３）をはさんで、適当な間隔で接着した。図２参照
ここで言う樋とは傘本来の布やビニールの一部と折り返した部分、あるいは折り返さず、別に張り付けた素材と一体化して成り立っているのである。
このようにして雨水排出孔（４）以外から雨だれが落ちないようにした。
【発明の効果】
【０００５】  雨だれを樋で受け止め数カ所の排出孔から排出するため、履物や衣服などを濡らすこともなく、雨の日のストレス軽減に大きな役割をはたすのである。
【発明を実施するための最良の形態】
【０００６】  以下本発明の実施の形態を説明する。
（ａ）傘の布またはビニール（２）の本来の寸法より大きくした部分を雨があたる側に折り返し台座（３）をはさみ接着して樋（１）を設けた。
（ｂ）傘の周辺に出来た樋（１）の任意の位置に数カ所  雨水排出孔（４）を設けた。
（ｃ）それぞれの部品は、図１で示すとうりである。
本発明は、以上の構成よりなっている。
本発明の使用方法は、雨水排出孔（４）を左右の位置で使用する。
このようにして前後の雨だれを阻止すれば歩行による履物や衣服の濡れを、最小限に押さえることが出来るのである。
なお雨水排出孔（４）は二箇所ぐらいがベストである。
【図面の簡単な説明】
【０００７】
【図１】本発明の斜視図
【図２】本発明の樋と台座の部分をあらわした断面図
【図３】台座の斜視図
【符号の説明】
【０００８】  １  樋
２  布またはビニール
３  台座
４  雨水排出孔
５  柄
６  取っ手
７  雨だれ
８  樋に溜った雨水
【図１】
2011098183.tif 000003
【図２】
2011098183.tif 000004
【図３】
2011098183.tif 000005
(57)【要約】      （修正有）【課題】壁面利用の保護帽保管具が利用できない賃貸マンション、アパートを建築事務所として利用する場合でも利用できる一人用保護帽安全帯収納具を提供する。【解決手段】椅子の脚アーム部に当該保管具１を固定し、当該保管具１の一方側に円形の穴６をくり抜き、保護帽の頂上部を下にして置き、収納後保護帽内側にほこり防止の蓋をかぶせる。他方側に深皿状の窪み９を設け、高所転落防止用安全帯を丸め収納した、一人用保護帽安全帯保管具。【選択図】図１
2011098173.tif 000002
【特許請求の範囲】
【請求項１】
椅子の脚、数ヶ所で当該保管具を接着材、結束材で固定し、一方に円形の穴をくり抜き、収納後保護帽内側に蓋を被せる、他方に深皿状の窪みを設けた、一人用保護帽安全帯保管具。
【発明の詳細な説明】
【技術分野】
【０００１】  本発明は保護帽及び高所転落防止安全帯の保管具に関するものである。
【背景技術】
【０００２】  従来建設現場等で使用する保護帽や高所転落防止安全帯は壁面を利用した保管具に収納していた。
【先行技術文献】
【０００３】
【特許文献１】実用新案公開平７−２５８８４
【発明の概要】
【発明が解決しようとする課題】
【０００４】  以前は建設事務所をプレハブ建てが多かったが敷地が狭かったり、コスト削減のため賃貸マンションやアパートを利用するケースが多くなり、コンクリート製のため壁面利用の保護帽保管具が使用出来なくなっている。
本発明は、以上の問題を解決するためになされたものである。
【課題を解決するための手段】
【０００５】  保管具と椅子の脚アーム部を接着材で取り付けられるように設けられ、当該保管具に固定された結束材が上下２ヶ所設けられている。
円形の穴の開けてある所に保護帽の頂上部を下に向け収納し、楕円形の蓋をかぶせる。
一方は深皿状の窪みを設けた。
以上の構成よりなる一人用保護帽安全帯保管具。
【発明の効果】
【０００６】  従来は多人数一ヶ所管理の収納具が一般的だが、椅子の脚元の空間を有効利用する事で狭い事務所や壁面コンクリートの場合でも整然と管理が可能となった。
【図面の簡単な説明】
【０００７】
【図１】本発明の平面図
【図２】本発明の使用状態を示す斜視図
【発明を実施するための形態】
【０００８】  以上本発明の実施形態を説明する。
（イ）当該保管具（１）固定のため両端部と中央部に接着材（２）を取り付けられるように設けられ、椅子の各脚アーム部（３）に結束材（４）が上下２ヶ所設けられている。
（ロ）一方には円形の穴（６）がくり抜かれてあり、他方は深皿状の窪み（９）が設けられている。
本発明を使用するときは、椅子の脚アーム（３）のサイズに合わせて接着材（２）を取り付け、さらに当該保管具（５）に取り付けられている結束材（４）で各脚アーム部（３）の上下を締めて強く固定する。
保護帽（５）の頂上部を下にして円形の穴（６）がくり抜かれている所へ置く。
ほこり防止のため、保護帽（１）内側に蓋（７）をかぶせる。
高所転落防止安全帯（８）は深皿状の窪み（９）に軽く丸めて収納する。
【符号の記号】
【０００９】  （１）当該保管具  （２）接着材  （３）脚アーム部  （４）結束材  （５）保護帽    （６）円形の穴  （７）蓋  （８）高所転落防止安全帯  （９）深皿状の窪み
【図１】
2011098173.tif 000003
【図２】
2011098173.tif 000004